(57)【特許請求の範囲】
【請求項１】
戸パネル（１）の前後いずれか一方の面壁に固定される取付ベース（５）と、取付ベース（５）と戸パネル（１）とで上下動自在に案内支持される調整板（６）と、戸パネル（１）の上端上方において調整板（６）と平行に配置されるローラ枠（７）と、ローラ枠（７）に固定したローラ軸（８）で回転自在に軸支されるローラ（９）と、ローラ枠（７）と調整板（６）との間に設けられる前後調整用のねじ機構（１０）と、調整板（６）と取付ベース（５）との間に設けられる上下調整用のねじ機構とを備えており、
ローラ枠（７）と調整板（６）とは、ローラ枠（７）に固定した軸体からなるスライド体（２６）を、調整板（６）に通設したガイド穴（２７）で案内支持して、前後に相対スライド自在に連結されており、
取付ベース（５）は、取付壁（１２）と、取付壁（１２）の下端中央に折り起こし形成される固定腕（１３）と、取付壁（１２）の中央に通設される調整窓（１４）と、調整窓（１４）の上側の板面に膨出されるガイド部（１５）とを備えていて、固定腕（１３）に挿通穴（１７）が通設されており、
調整板（６）は、縦長のスライド脚（１９）と、スライド脚（１９）の下端に折曲げ形成される可動腕（２０）とを備えていて、可動腕（２０）にねじ穴（２１）が上下貫通状に形成されており、
可動腕（２０）が調整窓（１４）から突出する状態で、取付ベース（５）を戸パネル（１）に固定することにより、調整板（６）がガイド部（１５）と戸パネル（１）とで上下スライド自在に案内支持されており、
前後調整用のねじ機構（１０）は、調整板（６）で回転自在に支持した雌ねじ体（２８）と、一端がローラ枠（７）に固定され、他端側が雌ねじ体（２８）にねじ込まれるねじ軸（２５）と、雌ねじ体（２８）に設けた操作部（２９）とで構成されており、
上下調整用のねじ機構が、上下に対向する固定腕（１３）および可動腕（２０）と、固定腕（１３）の挿通穴（１７）に下面側から挿通されるねじ軸（２２）と、ねじ軸（２２）がねじ込まれる可動腕（２０）のねじ穴（２１）と、ねじ軸（２２）の下端に設けられる操作部（２３）とで構成してあることを特徴とする吊車型のランナーユニット。
【請求項２】
操作部（２３）と固定腕（１３）との間に、弛み止め用の内歯形の歯付座金が介装され、ねじ軸（２２）のねじ部にプラスチックコーティングが施してある請求項１記載の吊車型のランナーユニット。
【請求項３】
雌ねじ体（２８）が、操作部（２９）と、操作部（２９）に連続して形成されるフランジ（３０）と、フランジ（３０）より小径の軸部（３１）とを一体に備えており、
雌ねじ体（２８）は、その軸部（３１）が調整板（６）の穴（３２）で回転自在に支持され、軸部（３１）の突端を拡径状にかしめ変形して調整板（６）と一体化してある請求項１又は２記載の吊車型のランナーユニット。
【発明の詳細な説明】
【０００１】
【発明の属する技術分野】
本発明は、前後調整機構を備えている吊車型のランナーユニットに関する。このランナーユニットは戸パネルの前後面のいずれか一方に装着される。
【０００２】
【従来の技術】
木製の戸パネルは、経年変化でパネルの一部あるいは全体が反り変形しやすい。在庫期間が長い戸パネルは、施工時点で反り変形していることもある。こうした変形に伴って、引戸においては、隣接する戸パネルどうしが接当干渉してその開閉が困難になったり、戸袋への出し入れに支障を来す。変形した戸パネルは取り替えるか、大掛かりな補修を行う必要があり、いずれにしても費用が嵩む。
【０００３】
施工を容易化し、更に戸パネルが反り変形した場合の吊り位置を矯正するために、前後調整機構を設けた吊車型のランナーユニットが先に提案されている（特開平８−２１１４５号公報）。そこでは、ランナー台を左右にスライド操作し、この左右動作をカム溝で前後の動きに変換して戸パネルの前後位置を調整する。このランナーユニットは、戸パネルの側端面の上隅に設けた取付穴にパネル外側方から横向きに挿嵌して固定する。
【０００４】
【発明が解決しようとする課題】
上記のように、戸パネルの側端上隅に埋設装着する形態のランナーユニットは、戸パネルの厚み寸法が小さい場合に適用できず、適用対象が比較的大形の戸パネルに限定される。ランナー台やハウジング等の埋設部分の厚み寸法を小さくするのは不可能ではないが、そうすると前後方向の調整量が小さくなるのを避けられない。
【０００５】
本発明の目的は、戸パネルの吊り位置を前後方向へ調整でき、施工時の位置調整はもちろんのこと、施工後に反り変形した戸パネルの位置調整も簡単に行える吊車型のランナーユニットを提供することにある。
本発明の目的は、厚み寸法の大小とは無関係に各種の戸パネルに支障なく適用できる吊車型のランナーユニットを提供することにある。
本発明の目的は、前後調整機構とは別に高さ調整機構を備えていて、戸パネルの吊り込み姿勢を最適な状態に調整できる吊車型のランナーユニットを提供することにある。
【０００６】
【課題を解決するための手段】
本発明のランナーユニットは、戸パネル１の前後いずれか一方の面壁に固定される取付ベース５と、取付ベース５と戸パネル１とで上下動自在に案内支持される調整板６と、戸パネル１の上端上方において調整板６と平行に配置されるローラ枠７と、ローラ枠７に固定したローラ軸８で回転自在に軸支されるローラ９と、ローラ枠７と調整板６との間に設けられる前後調整用のねじ機構１０と、調整板６と取付ベース５との間に設けられる上下調整用のねじ機構とを備えている。ローラ枠７と調整板６とは、ローラ枠７に固定した軸体からなるスライド体２６を、調整板６に通設したガイド穴２７で案内支持して、前後に相対スライド自在に連結する。取付ベース５は、取付壁１２と、取付壁１２の下端中央に折り起こし形成される固定腕１３と、取付壁１２の中央に通設される調整窓１４と、調整窓１４の上側の板面に膨出されるガイド部１５とを備えていて、固定腕１３に挿通穴１７を通設する。調整板６は、縦長のスライド脚１９と、スライド脚１９の下端に折曲げ形成される可動腕２０とを備えていて、可動腕２０にねじ穴２１を上下貫通状に形成する。可動腕２０が調整窓１４から突出する状態で、取付ベース５を戸パネル１に固定することにより、調整板６をガイド部１５と戸パネル１とで上下スライド自在に案内支持する。前後調整用のねじ機構１０は、調整板６で回転自在に支持した雌ねじ体２８と、一端がローラ枠７に固定され、他端側が雌ねじ体２８にねじ込まれるねじ軸２５と、雌ねじ体２８に設けた操作部２９とで構成する。上下調整用のねじ機構は、上下に対向する固定腕１３および可動腕２０と、固定腕１３の挿通穴１７に下面側から挿通されるねじ軸２２と、ねじ軸２２がねじ込まれる可動腕２０のねじ穴２１と、ねじ軸２２の下端に設けられる操作部２３とで構成する。
【０００７】
操作部２３と固定腕１３との間に、弛み止め用の内歯形の歯付座金が介装され、ねじ軸２２のねじ部にプラスチックコーティングを施す。
【０００８】
雌ねじ体２８は、操作部２９と、操作部２９に連続して形成されるフランジ３０と、フランジ３０より小径の軸部３１とを一体に備えている。雌ねじ体２８は、その軸部３１が調整板６の穴３２で回転自在に支持され、軸部３１の突端を拡径状にかしめ変形して調整板６と一体化する。
【０００９】
【作用】
戸パネル１の上面上方において、平行に配置したローラ枠７と調整板６とをスライド体２６を介して相対スライド自在に連結したうえで、両者６・７間にねじ機構１０を設けるので、ねじ機構１０をねじ込み操作して、ローラ枠７と調整板６の前後間隔を大小に変更することにより、戸パネル１の吊り下げ位置を前後に調整できる。ねじ機構１０とは別にスライド体２６を設け、戸パネル１の重量をねじ機構１０とスライド体２６とで分担して支持するので、ねじ機構１０に作用する重量を軽減してねじ込み操作を容易に行える。スライド体２６は前後調整時にローラ枠７がねじ機構１０と連れ回りするのを防ぐのにも役立つ。
【００１０】
調整板６を戸パネル１の例えば前面に装着し、ローラ枠７と調整板６との間にスライド体２６やねじ機構１０を設けるので、戸パネル１の厚み寸法が小さい場合にも、ランナーユニットを戸パネル１に対して支障なく取り付けることができるうえ、必要に応じてねじ機構１０による調整代を大きく設定できる。
【００１１】
前後調整用のねじ機構１０とは別に、上下調整用のねじ機構を取付ベース５と調整板６との間に設けると、前後調整と高さ調整とを必要に応じて行って、戸パネル１の吊り込み姿勢を適正化できる。
【００１２】
【実施例】
図１ないし図５は本発明に係るランナーユニットを引戸に適用した実施例を示す。図２において符号１は木製の戸パネル、２はアルミニウム形材からなる上側のガイドレールである。戸パネル１の両側端にプラスチック製の縦枠１ａが固定してあり、縦枠１ａの側端部の前後幅を戸パネル１の前後厚みより大きく設定して、縦枠１ａが開閉用の把手を兼ねるようにしてある。戸パネル１の両側端寄りの上隅のそれぞれに、本発明のランナーユニットを装着し、両ランナーユニットをガイドレール２で走行案内する。さらに戸パネル１の両側端の下隅のそれぞれに振れ止め片３を設け、これらを床面に埋設したガイドレール４で走行案内している。
【００１３】
図１においてランナーユニットは、戸パネル１の前面にビスで締結した取付ベース５と、取付ベース５で上下動自在に案内支持した調整板６と、戸パネル１の上面上方において調整板６と平行に配置したローラ枠７と、ローラ枠７に固定したローラ軸８で回転自在に支持したプラスチック製のローラ９と、前後調整用のねじ機構１０と、上下調整用のねじ機構などで構成する。
【００１４】
図３において取付ベース５は、左右横長の取付壁１２の下端中央に固定腕１３を直交状に折り起こし形成し、取付壁１２の中央に調整窓１４を通設し、この窓１４の上側の板面にガイド部１５を膨出したプレス成形金具からなる。取付壁１２の左右両端寄りにはビス挿通用の穴１６が、固定腕１３の板面の左右中央には、後述するねじ軸２２用の挿通穴１７がそれぞれ通設してある。
【００１５】
調整板６は正面視がＴ字形のプレス成形金具からなり、その縦長のスライド脚１９の下端を直交状に折り曲げて可動腕２０を形成する。可動腕２０の板面中央にはねじ穴２１を上下貫通状に形成する。スライド脚１９を取付ベース５の取付面の側からガイド部１５に当てがい、可動腕２０が調整窓１４から突出する状態で取付ベース５をビス止めすることにより、調整板６が取付ベース５と戸パネル１とで前後に挟み保持されて、上下スライド自在に案内支持される。また、戸パネル１を一方の挟持部材に利用して、取付ベース５のみで調整板６をスライド案内するので、その分だけ部品点数を減らして、ランナーユニットの製作コストを減少できる。スライド部分の厚み寸法も小さくできる。
【００１６】
この組み付け状態において、固定腕１３と可動腕２０とは上下に対向しており、両者１３・２０の間に設けたねじ軸２２で調整板６を上下にスライド操作できる。ねじ軸２２は市販の十字穴付きの六角ボルトからなり、そのねじ部を固定腕１３の下面側から挿通穴１７に通して、可動腕２０のねじ穴２１にねじ込む。ねじ軸２２の下端の操作部２３と固定腕１３との間には弛み止め用の内歯形の歯付座金を介装する。さらに、ねじ部にプラスチックコーティングを施して、ねじ軸２２の弛みを阻止している。固定腕１３、可動腕２０、ねじ軸２２および操作部２３などで上下調整用のねじ機構が構成してある。
【００１７】
ローラ枠７は各頂部が丸めてある三角形のプレス打ち抜き金具からなり、その中央にかしめ固定したローラ軸８でローラ９を軸支する。このローラ枠７と調整板６との間にスライド構造と前後調整用のねじ機構１０とを設ける。詳しくは、ローラ枠７の板面左右にねじ軸２５とスライド体２６とを、ローラ軸８と逆向きに突出する状態でそれぞれかしめ固定する。スライド体２６は鋼材製の丸軸からなり、その突端側を調整板６の上端右側に通設したガイド穴２７で前後スライド自在に案内支持する。
【００１８】
ねじ機構１０は、調整板６で回転自在に支持した雌ねじ体２８と、上記のねじ軸２５と、雌ねじ体２８に設けた六角形の操作部２９とからなる。雌ねじ体２８は、操作部２９に連続してフランジ３０と、これより小径の軸部３１とを一体に形成した金属部品からなり、調整板６の上端左側に通設した穴３２で軸部３１を回転自在に支持する。軸部３１はその突端を拡径状にかしめ変形して、調整板６と一体化する。ねじ軸２５のねじ部分は雌ねじ体２８に設けたねじ穴にねじ込まれる。従って、雌ねじ体２８をねじ込み操作すると、ローラ枠７と調整板６の前後間隔を変化させて、戸パネル１の吊り位置を前後方向へ調整できる。なお、雌ねじ体２８は、腕部分がく字状に折り曲げられたスパナＴ（図５参照）で回動操作する。
【００１９】
以上のように構成したランナーユニットは、取付ベース５を戸パネル１の前面上隅に当てがってビスで締結固定した後、戸パネル１を斜めに傾けながらローラ９の下部周面をガイドレール２に吊り掛ける。この状態で雌ねじ体２８を操作して戸パネル１の前後位置を調整し、さらにねじ軸２２を操作して戸パネル１の上下位置を調整する。図５に示すように、ガイドレール２は片持ち梁状のレール部２ａを有し、レール部２ａの下端にローラ９を走行案内する部分円弧状の溝２ｂを設ける。この溝２ｂと対向するレール上壁に、ローラ９の脱輪を防ぐリブ２ｃが下向きに突設してある。なお、使用時の体裁の向上と危険防止のために、取付ベース５の外面にプラスチック製のカバーを圧嵌装着し、上下調整用のねじ機構の外面をカバーで覆い隠すことができる。
【００２０】
図６に示すように、スライド体２６はローラ枠７と一体に打ち抜いた爪片を直交状に折り曲げて形成することができる。この場合には、スライド体２６の断面形状に合致する溝状のガイド穴２７を調整板６に通設する。また、ローラ軸８とねじ軸２５とを一体に形成して、部品点数を減らすことができる。
【００２２】
上記以外に、ローラユニットは、２個以上のローラ９をローラ枠７で軸支してあってもよい。操作部２９はドライバー用の十字溝や一文字溝、あるいは六角穴などで形成してあってもよい。
【００２３】
【発明の効果】
本発明のランナーユニットでは、ローラ９を支持するローラ枠７と、戸パネル１に装着した調整板６との間に、ねじ機構１０とスライド体２６とを設け、ねじ機構１０をねじ込み操作することにより、戸パネル１の前後位置を変更調整できるようにした。従って、施工時の戸パネル１の前後調整を簡単に行えるのはもちろん、反り変形した戸パネル１の吊り位置を矯正して、隣接する戸パネル１どうしが接当干渉し、あるいは戸袋に当たるなどの不具合を解消できる。ランナーユニットを戸パネル１の前後の面壁に装着するので、戸パネル１の厚み寸法が小さい場合にも、問題なくランナーユニットを適用して、その前後調整を行える。ねじ機構１０に加えて上下調整用のねじ機構を設けたランナーユニットによれば、戸パネル１の吊り込み姿勢を前後および上下に調整して最適化でき、開口枠の仕上がり寸法にばらつきがある場合にも、戸パネル１を適正に吊り込むことができる。
【図面の簡単な説明】
【図１】ランナーユニットの正面図である。
【図２】引戸の正面図である。
【図３】ランナーユニットの分解斜視図である。
【図４】図１におけるＡ−Ａ線断面図である。
【図５】図１におけるＢ−Ｂ線断面図である。
【図６】ガイド体の変形例を示す縦断側面図である。
【符号の説明】
１  戸パネル
５  取付ベース
６  調整板
７  ローラ枠
９  ローラ
１０  ねじ機構
２５  ねじ軸
２６  スライド体
２７  ガイド穴
２８  雌ねじ体
２９  操作部
【図１】
0003920433.tif 000002
【図２】
0003920433.tif 000003
【図３】
0003920433.tif 000004
【図４】
0003920433.tif 000005
【図５】
0003920433.tif 000006
【図６】
0003920433.tif 000007